(57)【要約】      （修正有）【課題】改善された分娩用ベッド用のハンドルを提供する。【解決手段】使用者支持装置は、フレーム１２に可動的に連結されたハンドル３２を有するフレーム１４を備える。ハンドル３２は、フレーム１４上に支持される使用者が握れるようになっている。ハンドル３２は、ハンドル３２の長さを調節するよう構成された調節機構４０を有する。調整機構４０はロック可能である。ハンドル３２は、ハンドル３２に連結されたコントローラ６４を有する。【選択図】図２
2010240399.tif 000002
【特許請求の範囲】
【請求項１】
フレームに可動的に連結されたハンドルを有するフレームを備え、前記ハンドルは、前記フレーム上に支持される使用者が握れるようになっており、前記ハンドルは、前記ハンドルの長さを調節するよう構成された調節機構を有する、使用者支持装置。
【請求項２】
前記調節機構はロック可能である、請求項１に記載の使用者支持装置。
【請求項３】
前記ハンドルは、前記ハンドルに連結されたコントローラを有し、前記コントローラは前記使用者支持装置の少なくとも一つの機能と、前記使用者支持装置と通信するデバイスと、前記使用者支持装置と通信するシステムとを制御するよう構成される、請求項１に記載の使用者支持装置。
【請求項４】
前記コントローラは、ハンドルから取外し可能および遠隔操作可能である、請求項３に記載の使用者支持装置。
【請求項５】
前記ハンドルは、部材間に軸がある第一部材と第二部材とを有し、前記第一部材は前記フレームに可動的に連結され、前記第二部材は前記第一部材に対して前記軸を中心に移動可能である、請求項１に記載の使用者支持装置。
【請求項６】
前記軸はロック可能である、請求項５に記載の使用者支持装置。
【請求項７】
下部フレームと、
複数の支持部と、
前記下部フレームの上の複数の支持部上に支持される上部フレームとを備え、前記下部および前記上部フレームのうち少なくとも一つは、前記下部フレームと前記上部フレームの少なくとも一つと可動的に連結されたハンドルを有し、前記ハンドルは、前記上部フレーム上に位置する使用者が握れるようになっており、前記ハンドルには、前記使用者支持装置の少なくとも一つの機能と、前記使用者支持装置と通信するデバイスと、前記使用者支持装置と通信するシステムとを制御するよう構成されたコントローラを有する、使用者支持装置
【請求項８】
前記コントローラは前記ハンドルから取外し可能および遠隔操作可能である、請求項７に記載の使用者支持装置。
【請求項９】
前記コントローラは前記ハンドルに一体化される、請求項７に記載の使用者支持装置。
【請求項１０】
前記ハンドルは、前記ハンドルの長さを調節するよう構成された長さ調節部分を有する、請求項７に記載の使用者支持装置。
【請求項１１】
前記ハンドルは、部材間に軸がある下部部材および上部部材を有し、前記下部部材は前記下部フレームと前記上部フレームのうち少なくとも一つと可動的に連結され、前記上部部材は前記下部部材に対して前記軸を中心に枢動可能である、請求項７に記載の使用者支持装置。
【請求項１２】
前記軸はロック可能である、請求項１１に記載の使用者支持装置。
【請求項１３】
前記ハンドルは、前記ハンドルの長さを調節するよう構成された調節機構をも有する、請求項１１に記載の使用者支持装置。
【請求項１４】
前記調節機構はロック可能である、請求項１３に記載の使用者支持装置。
【請求項１５】
フレームと、
前記フレームに可動的に連結された第一部材と第二部材とを有するハンドルとを備え、前記ハンドルは、前記フレーム上に支持される使用者が握れるようになっており、前記ハンドルは、前記第一部材と前記第二部材との間に位置し、前記第二部材が前記第一部材に対して回転するよう構成された回転ジョイントを有する、使用者支持装置。
【請求項１６】
前記回転ジョイントはロック可能である、請求項１５に記載の使用者支持装置。
【請求項１７】
前記第一部材および第二部材のうち少なくとも一つが高さ調節部分を有し、前記高さ調節部分は前記第一部材および前記第二部材のうち一つの長さを調節する、請求項１５に記載の使用者支持装置。
【請求項１８】
前記ハンドルは前記ハンドルに連結されたコントローラを有し、前記コントローラは前記使用者支持装置の少なくとも一つの機能と、前記使用者支持装置と通信するデバイスと、前記使用者支持装置と通信するシステムとを制御するよう構成される、請求項１５に記載の使用者支持装置。
【請求項１９】
前記コントローラは、前記ハンドルから取外し可能および遠隔操作可能である、請求項１８に記載の使用者支持装置。
【請求項２０】
前記ハンドルは、保管位置と使用位置との間で移動可能であり、前記ハンドルは前記保管位置で前記フレーム上に支持される支持面の表面よりも低い位置にあり、前記ハンドルの少なくとも一部分は、前記使用位置で、前記フレーム上に支持される前記支持面の表面よりも上の位置にある、請求項１５に記載の使用者支持装置。
【請求項２１】
頭部部分および足部部分を含むフレームと、
軸で前記フレームに可動的に連結された少なくとも一つのサイドレールとを備え、前記サイドレールは、前記サイドレールに一体化されたマタニティグリップを有し、前記マタニティグリップは前記フレーム上に支持される使用者が握れるようになっている、使用者支持装置。
【請求項２２】
前記サイドレールは前記マタニティグリップに隣接して連結されたコントローラを有し、前記コントローラは前記使用者支持装置の少なくとも一つの機能と、前記使用者支持装置と通信するデバイスと、前記使用者支持装置と通信するシステムとを制御するよう構成される、請求項２１に記載の使用者支持装置。
【請求項２３】
前記コントローラは前記サイドレールから取外し可能及び遠隔操作可能である、請求項２２に記載の使用者支持装置。
【請求項２４】
前記軸はロック可能である、請求項２１に記載の使用者支持装置。
【請求項２５】
前記頭部部分が前記足部部分に対して連接するように、前記サイドレールが前記フレームの前記頭部部分と共に移動する、請求項２１に記載の使用者支持装置。
【発明の詳細な説明】
【技術分野】
【０００１】
本開示は、使用者支持装置に関する。さらに詳細には、限定するものではないが、例示の一実施形態は、各病院用ベッドに連結された多機能性分娩用バーに関する。
【背景技術】
【０００２】
分娩用ベッドなどの各使用者支持装置は、医療処置中の各患者を支えることができる。各分娩用ベッドの場合、使用者支持装置は、陣痛及び分娩全体を通して母体を支持できる。その過程では、産道を通過する胎児の移動を助けるよう母体が筋肉を収縮させる間に、母体が楽な姿勢をとれることが重要となりうる。各分娩用ベッドは、母親が体を支えるために握ることができる位置に合わせてベッドの両側にハンドルを備えることができる。各分娩用ベッド用の多様なハンドルが開発されてきているが、それらのハンドルにはまだ改善の余地がある。従って、当該分野の技術においては、さらなる貢献の必要性が存続している。
【発明の概要】
【課題を解決するための手段】
【０００３】
例示的な一実施形態には、フレームと連結されるポストが含まれ、該フレームは、ポストの長さを調節するよう構成された調節機構を有し、フレーム上の使用者が握れるようになっている。別の例示的な実施形態においては、上部フレームと連結されるポストは、使用者支持装置および／または使用者支持装置と通信するデバイスの機能を制御するように構成されたコントローラを有する。さらに別の例示的な実施形態においては、ハンドルは、フレームと可動的に連結された第一端部と第二端部とを有し、第二端部が第一端部に対して回転できるように構成された第一端部と第二端部との間に回転ジョイントが位置している。さらに別の例示的な実施形態においては、サイドレールは、サイドレールの内部に一体化されたマタニティグリップを有し、フレーム上に位置する使用者が握れるようになっている。
【０００４】
単独または上記に列挙した特徴および／または請求項に列挙した特徴などの他の任意の特徴と組み合わせた追加的な特徴は、特許性のある主題を備えることができ、当業者にとっては、現時点で理解される発明を実施する最良の形態を例示する以下のさまざまな実施形態の詳細な説明を考察することにより明らかとなるであろう。
【０００５】
次に、各図面における例示の実施例を参照するが、ここで類似の参照番号は、全体を通して同一または類似の要素を表す。
【図面の簡単な説明】
【０００６】
【図１】例示の一実施形態に係る使用者支持装置の斜視図である。
【図２】長さ調節可能な分娩用バーの付いた図１の使用者支持装置の斜視図である。
【図３】図２の長さ調節機構の側面図である。
【図４】複数の枢動点を有する分娩用バーの付いた別の例示の実施形態に係る使用者支持装置の側面図である。
【図５】分娩用バーを使用する使用者を示す、図４の使用者支持装置の斜視図である。
【図６】長さ調節装置および複数の枢動点を有する別の例示の実施形態に係る分娩用バーの側面図である。
【図７】分娩用バーサイドレールを有するさらに別の例示の実施形態に係る使用者支持装置の斜視図である。
【発明を実施するための形態】
【０００７】
例示の一実施形態は、フレームに連結されたポストを有し、該ポストは、ポストの長さを調節するように構成された調節機構を含み、フレーム上の使用者が握れるようになっている。別の例示の実施形態において、上部フレームに連結されたポストは、使用者支持装置および／または使用者支持装置と通信する装置の機能を制御するように構成されたコントローラを有する。さらに別の例示の実施形態において、ハンドルは、フレームに移動可能に連結された第一端部と第二端部とを有し、第二端部が第一端部に対して回転できるように構成された第一端部と第二端部との間に回転ジョイントが位置している。さらに別の例示の実施形態において、サイドレールは、サイドレールの内部に一体化されたマタニティグリップを有し、フレーム上に位置する使用者が握れるようになっている。
【０００８】
本開示は、多くの異なる形態をとりうる一方で、この開示の原理の理解を促進する目的で、図面に示した実施形態の参照を行い、また同一のことを説明するために特定の文言が使用される。従って、本開示の範囲を限定することを意図するものではない。様々な代替、記載した実施形態のさらなる変更、および本明細書において説明される本開示の原理のさらなる任意の応用が考慮される。
【０００９】
本開示の例示の一実施形態による使用者支持装置１０が図１に示されている。使用者支持装置１０は、使用者（不図示）の頭部が位置する頭部部分Ｈ１と、使用者（不図示）の足部が位置する足部部分Ｆ１とを有することができる。使用者支持装置１０は、下部フレーム１２またはベース１２と、上部フレーム１４と、上部フレーム１４および下部フレーム１２に連結される複数の支持部１６とを有することができる。使用者支持装置１０は、一つの支持部１６のみを有することができることを理解すべきである。
【００１０】
使用者支持装置１０は、図１に示すように上部フレーム１４上の使用者支持面１８を支持できる。使用者支持面１８は、複数の連接位置で使用者（不図示）を支持するように構成できる。使用者支持面１８は、背中部分Ｂ１および主要部分Ｍ１（不図示）を含みうる複数の部分から形成できる。使用者支持面１８は、単一の部分から形成できることも理解すべきである。背中部分Ｂ１は、上部フレーム部分１４および主要部分Ｍ１に対して枢動可能であり、背中部分上に支持される使用者の頭部を上下させることができる。使用者支持面１８は、膨張／収縮、圧力の変化、および／または空気の吹き込みにより使用者にセラピーを提供する発泡体および／または複数の空気袋を有する一つ以上の支持部分を有することができる。例えば、使用者支持面１８の一つ以上の部分において、交互加圧セラピー、連続ローテーションセラピー（continuous lateral rotation therapy）、ローエアロスセラピー（low air loss therapy）、ブースト機能、パーカッション／バイブレーションセラピー（percussion/vibration therapy）および／またはターンアシスト機能を設けることができる。
【００１１】
下部フレーム１２は、図１に示すとおり、支持部１６および上部フレーム１４を支持するために各支持部１６と連結できる。下部フレーム１２は、各キャスター２２によって支えられる複数の下部フレーム部分２０を有することができる。下部フレーム１２は、単一の下部フレーム部分２０を有することができることを理解すべきである。また、下部フレーム１２を各キャスター２２によって支持することはできず、代わりに床上で支持できることを理解すべきである。
【００１２】
各支持部１６は、図１に示すように、下部フレーム１２および上部フレーム１４を通って延在し、下部フレーム１２および上部フレーム１４に対して実質的に垂直である縦軸Ｚ１を画定できる。各支持部１６は、下部フレーム１２に対して上部フレーム１４を昇降させるよう各リフト機構１６を膨張および／または収縮させることができるリフト駆動装置（不図示）を有する各リフト機構１６でもよい。各支持部１６は、複数のテレスコープ型タワー、シザーリフト、回転式リフト、油圧リフトまたはアクチュエータ、空気圧リフトまたはアクチュエータ、リニアアクチュエータ、電子アクチュエータ、チェーンリフト、または他のリフト機構であってもよく、あるいは少なくともそのうち一つを備えることができることを理解すべきである。さらに、各支持部１６は、各リフト機構１６ではなく、代わりに少なくとも一つの固定支柱（不図示）であってもよいことを理解すべきである。各支持部１６は、上部フレーム１４と連結された上部支持部分２４と、下部フレーム１２と連結された下部支持部分２６とを有する。
【００１３】
上部フレーム１４は、図１に示すように、上部フレーム１４の横方向中心に沿って頭側端部Ｈ１および足側端部Ｆ１を通過し少なくとも使用者支持装置１０の長さだけ伸びる縦軸Ｘ１と、縦軸Ｘ１に対して直交させることができ、上部フレーム１４の長軸方向中心を通過して少なくとも使用者支持装置１０の幅だけ伸びる横軸Ｙ１とを画定できる。上部フレーム１４は、中間フレーム３０により支持されうるデッキ２８が含まれうる。上部フレーム１４は、中間フレーム３０により支持されうるフットボード（不図示）、ヘッドボードＨＢ１、および／またはサイドレールＳＲ１を有することができることも理解すべきである。また、上部フレーム１４はデッキ２８のみを含むことができることも理解すべきである。デッキ２８は、横軸Ｙ１を中心に連接できる複数の部分から構成できる。デッキ２８は、横軸Ｙ１またはそれに平行な軸を中心に連接できる単一の部分のみを含むことができることを理解すべきである。また、デッキ２８は連接できないことを理解すべきである。
【００１４】
上部フレーム１４は、図２に示すように本開示の一つの例示的な実施形態による各分娩用バー３２または各ハンドル３２を有することができる。各ハンドル３２は、下部フレーム１２または支持部１６に可動的に連結できることを理解すべきである。また、各ハンドル３２は、下部フレーム１２、上部フレーム１４、または支持部１６に固定連結できることを理解すべきである。ハンドル３２は、上部フレーム１４の長軸側に沿って各第一ジョイント３４で枢転可能に連結できる。各ハンドル３２は、保管位置および使用位置の間を移動しうる。図３に示すとおり、保管位置では、各ハンドル３２は各ハンドル３２が実質的に上部フレーム１４の下に位置するように回転でき、また使用位置では、各ハンドル３２はハンドル３２が実質的に使用者支持面１８の上に位置するように回転できる。各ハンドル３２は、各ハンドル３２が保管位置で使用者支持面１８より上に伸びないように回転させることができることを理解すべきである。
【００１５】
図２に示すように、各ハンドル３２は、第一部材３６、第二部材３８、調節機構４０、およびグリップ部分４２を有することができる。第一部材３６は管状部材３６とすることができ、第一部材３６は、第一下端部４４および第一上端部４６を有することができる。第一下端部４４は、第一ジョイント３４で上部フレーム１４に枢転可能に連結できる。第一上端部４６は、図３に示すとおり、開口部４８を第一部材３６の内側領域５０内に有することができる。
【００１６】
図２に示すとおり、第一ジョイント３４は、遠隔操作で起動できるロック用および回動用ジョイントを利用することにより、上部フレーム１４に対する各ハンドル３２の回動を阻止／許容できるよう選択的にロック及びロック解除ができる。例示的な一実施形態において、各可動ジョイントは、各可動ジョイントの回動および固定、または回動を阻止するようロックさせるために、ケーブルなどの伝送装置により、または空気圧によって遠隔操作で作動させて、選択的なロック／ロック解除ができる。そのようなジョイントは、Adjustable Locking Technologies社の登録商標INFILOCおよびVARILOCなどのように、各製造業者から市販されている。選択的にロック可能かつ枢転可能な他のジョイントは、本発明の範囲内である。一実施例には、スプライン型の可動ジョイント（不図示）が考えられ、該スプラインがメッシュ止めされるかまたは噛み合って可動ジョイントをロックして可動ジョイントの回動動作を阻止したり、メッシュ止めを外すかまたは噛み合いを解除して、可動ジョイントの回動動作を可能にする。別の実施例では、クラッチ型の可動ジョイント（不図示）が考えられ、各クラッチの摩擦パッドが噛み合い、可動ジョイントをロックして可動ジョイントの動作を阻止したり、噛み合いが解除されて、可動ジョイントの回動動作を可能にする。
【００１７】
第二部材３８は、図２および図３に示すとおり、第一部材３６に対して移動できる。第二部材３８は、第二下端部５２および第二上端部５４を有することができ、第一部材３６の内側領域５０内の開口部４８の直径より小さい直径のポールとなりうる。第二部材３８は、内側領域５０を有するシリンダーでもよく、また第一部材３６は、第二部材３８の内側領域５０内の開口部４８の直径よりも小さい直径のポールでもよいことを理解すべきである。第二下端部５２は、第一部材３６の内側領域５０内に配置でき、内側領域５０内でハンドル３２の長さを調節するために、開口部４８に向かって、または第一下端部４４に向かって移動可能である。第二上端部５４は、グリップ部分４２と第二ジョイント５６で連結しうる。第二ジョイント５６は、第一ジョイント３４について上述したように、選択的にロック／ロック解除可能なジョイントとすることができることを理解すべきである。
【００１８】
調節機構４０は、図２および図３に示すとおり、第一部材３６の第一上端部４６、および第二部材３８の第二下端部５２と連動させて、ハンドル３２の所望の長さを維持させることができる。調節機構４０は、図３に示すとおり、第一部材３６の第一上端部４６内で第一穴５８と噛み合い、第二部材３８の第二下端部５２内で複数の第二穴６０と噛み合う着脱可能なピン５６とすることができる。調節機構４０は、カムロック、ばね式ピン、摩擦ロック、またはテレスコープ型配列に使用される他のロックであってもよいことを理解すべきである。ハンドル３２の長さおよび／または方向を調節するために、ピン５６を第一穴５８および第二穴６０から外すことができ、これにより、第二部材３８の第二下端部５２は第一部材３６の内側領域５０内部で、第一部材３６の第一上端部４６に対してスライドすることができる。ハンドル３２の長さおよび／または方向を維持するために、ピン５６を第一穴５８と、第二穴６０のうち一つに挿入して、第二部材３８に対する第一部材３６の移動を阻止することができる。各ハンドル３２は、使用者の快適さに応じて、高さが調節できる。
【００１９】
グリップ部分４２には、図２に示すとおり、グリップ６２およびコントローラ６４を有することができる。グリップ６２は、第二部材３８の第二上端部５４に一体化しうる。グリップ６２は、図４に示すとおり、第二ジョイント５６付近で、第二部材３８の第二上端部５４に連結できることを理解すべきである。上部フレーム１４上に支持される使用者は、体を支えるためにグリップ６２にしっかりと掴まることができる。例示の一実施形態において、グリップ６２は、出産過程にある使用者がしっかりと掴まることができる。
【００２０】
図２に示すとおり、コントローラ６４はグリップ６２に連結しうる。コントローラ６４は、グリップ６２から取外しでき、また離れた場所から使用できることを理解すべきである。また、コントローラ６４は、グリップ６２と一体化できることを理解すべきである。さらに、コントローラ６４は、各ハンドル３２の任意の部分に連結または一体化できることを理解すべきである。コントローラ６４は、使用者支持装置１０の制御システム（不図示）と電気的に連結された複数のボタン６６を有することができ、使用者支持装置１０の少なくとも一つの機能を制御するよう構成できる。コントローラ６４は、回転式ダイアル、タッチスクリーン、マイクロホン、および／またはその他のユーザインターフェースも有することができることを理解すべきである。また、デバイスまたはシステムが有線、無線、病院ネットワーク、またはその他の接続のどの手段を介して使用者支持装置と通信するかにかかわらず、コントローラ６４が、使用者支持装置１０と通信する、例えば、ナースコールシステム、部屋／ベッドの照明、テレビ、および／または窓／ブラインドなどのデバイスまたはシステムの機能を制御できることを理解すべきである。
【００２１】
本開示の別の実施形態による使用者支持装置１１０を図４および図５に示すが、ここで類似の数字は、他の実施形態にあるような類似の各特徴を表す。使用者支持装置１０は、下部フレーム１２またはベース１２と、上部フレーム１１４と、上部フレーム１１４および下部フレーム１２に連結された複数の支持部１６とを有することができる。上部フレーム１１４は、該フレームに連結されたハンドル１３２または分娩用バー１３２を有することができる。ハンドル１３２は、第一部材１３６と、第二部材１３８と、回動ジョイント１４０と、グリップ部分４２とを有することができる。ハンドル１３２は、上述して図６に示した調節機構４０も有することができることを理解すべきである。
【００２２】
第一部材１３６はポールでもよく、図４に示すように第一下端部１４４および第一上端部１４６を有することができる。第一下端部１４４は、第一ジョイント３４で上部フレーム１１４に枢動可能に連結できる。第一上端部１４６は、回動ジョイント１４０で第二部材１３８に連結できる。回動ジョイント１４０は、第一ジョイント３４に関連して上記に説明したように、選択的にロック／ロック解除可能なジョイントとなりうる。
【００２３】
第二部材１３８はポールでもよく、図４に示すように第一部材１３６に対して回動可能であることによってハンドル１３２の方向を変更できる。第二部材１３８は、第二下端部１５２および第二上端部１５４を有することができる。第二下端部１５２は、回動ジョイント１４０で第一部材１３６に連結できる。第二部材１３８。第一部材１３６および／または第二部材１３８は、使用者支持装置１１０上で支持される使用者の好む向きおよび／または高さに合わせるように、回転させて頭部部分Ｈ１に近づけたり離したりできることを理解すべきである。また、ハンドル１２４は、第一部材１３６および第二部材１３８が実質的に互いに平行であり、さらに上部フレーム１１４の下の保管位置に移動するように回転できることを理解すべきである。第二部材１３８の第二上端部１５４は、第二ジョイント５６でグリップ部分４２に連結できる。
【００２４】
本開示の別の実施形態による使用者支持装置２１０を図７に示す。使用者支持装置２１０は、下部フレーム１２またはベース１２と、上部フレーム２１４と、上部フレーム２１４および下部フレーム１２に連結された複数の支持部１６とを有することができる。上部フレーム２１４は、該フレームに各第一ジョイント２３４で可動的に連結されたサイドレールＳＲ１を有することができる。各第一ジョイント２３４は、上記で第一ジョイント３４について説明したとおり、選択的にロック／ロック解除可能なジョイントでもよいことを理解すべきである。上部フレーム２１４に対するサイドレールＳＲ１の方向は、使用者支持装置２１０上で支持される使用者の好みに基づき、第一ジョイント２３４を通過する回転軸Ｒ１を中心にサイドレールＳＲ１を回転させることによって、適切な方向に変更できる。
【００２５】
図７に示すとおり、サイドレールＳＲ２は、該サイドレールと一体化されたハンドル２３２または分娩用バー２３２を有することができる。ハンドル２３２は、該ハンドルに連結されたグリップ２６２およびコントローラ２６４を有することができる。コントローラ２６４は、サイドレールＳＲ２に一体化することや、サイドレールＳＲ２から取外し可能とすることができ、離れた場所から使用できることを理解すべきである。グリップ２６２は、使用者支持装置２１０上で支持される使用者が握ることができる。例示の一実施形態において、出産中の使用者はグリップ２６２にしっかりと掴まることができる。コントローラ２６４は、各ボタン２６６を含めることができ、デバイスまたはシステムが有線、無線、病院ネットワーク、または他の接続のどの手段を介して使用者支持装置と通信するかにかかわらず、使用者支持装置２１０と通信するデバイスまたはシステムの機能、例えば、ナースコールシステム、部屋／ベッドの照明、テレビ、および／または窓／ブラインドなどを制御するよう構成できる。コントローラ２６４は、上述したコントローラ６４と同様に構成および／または動作しうることを理解すべきである。
【００２６】
本開示の他の多数の実施形態も想定される。例えば、使用者支持装置は、フレームに可動的に連結されたハンドルを含むフレームを備える。ハンドルは、フレーム上で支持される使用者が握れるようになっている。ハンドルは、ハンドルの長さを調節するよう構成された調節機構を有する。
【００２７】
別の実施例において、使用者支持装置は、下部フレームと、複数の支持部と、上部フレームとを備える。上部フレームは、下部フレームの上部の複数の支持部により支持される。上部フレームと下部フレームのうち少なくとも一つは、下部フレームと上部フレームのうち少なくとも一つに可動的に連結されたハンドルを有する。ハンドルは、上部フレーム上に位置する使用者が握れるようになっている。ハンドルは、使用者支持装置の機能を制御するよう構成されたコントローラを有する。
【００２８】
さらに別の実施例において、使用者支持装置はフレームおよびハンドルを備える。ハンドルは、フレームおよび第二部材と可動的に結合された第一部材を有する。ハンドルは、フレーム上で支持される使用者が握れるようになっている。ハンドルは、第一部材と第二部材の間に位置し、第二部材が第一部材に対して回転できるよう構成された回転ジョイントを有する。
【００２９】
さらに別の実施例において、使用者支持装置はフレームおよびサイドレールを備える。フレームは、一対の横方向の側面を有する。サイドレールは、横方向側面のうち少なくとも一つに沿って位置する。サイドレールは、該サイドレールに一体化されたマタニティグリップを有する。マタニティグリップは、フレーム上に支持される使用者が握れるようになっている。
【００３０】
本明細書に記載した一切の理論、動作メカニズム、証明、または所見は、本開示の原理の理解をさらに高めることを意図しており、いかなる方法でも本開示をそうした理論、動作メカニズム、例示の実施形態、証明、または所見に依存するものとすることを意図していない。上記の説明において、好ましいという用語は、そのように記載した特徴がより望ましいことを示すが、それにもかかわらず、それが必要なわけではなく、その記載のない実施形態も本開示の以下の請求項に定義される範囲内に入るものとして考えられることが理解されるべきである。
【００３１】
各請求項を読む際に、単数形（原文で「ａ」、「ａｎ」）や「少なくとも一つ」、「少なくとも一部分」などの単語が使用される場合、請求項にそれに反する内容が具体的に述べられていない限り、請求項を一つの項目だけに限定することを意図したものではないことを意味する。「少なくとも一部分」および／または「一部分」という文言が使用される場合、当該項目には、これに反して具体的に記載のない限り、一部分および／または項目全体が含まれる。
【００３２】
選択した実施形態のみを表示および説明してきたが、本明細書に画定するように、または下記の各請求項のいずれかにより、本開示の趣旨を逸脱しない考えられるすべての代替物、改良物、態様、組み合わせ、原理、変形物、および等価物が保護されることが望ましいことを理解すべきである。本開示の各実施形態について、図面および上述の説明で詳細に図示および説明してきたが、各実施形態は例示的なものとして考慮されるべきであり、本発明を全て網羅するものではなく、本開示を開示した正確な各形態に限定することを意図したものではない。追加的な代替物、改良物および変形物が、当業者にとって明らかである。また、複数の発明の態様や原理を提示してきたが、これらを組み合わせて利用する必要はなく、上記の各種実施形態に照らして発明の各態様や原理の様々な組み合わせが可能である。
【図１】
2010240399.tif 000003
【図２】
2010240399.tif 000004
【図３】
2010240399.tif 000005
【図４】
2010240399.tif 000006
【図５】
2010240399.tif 000007
【図６】
2010240399.tif 000008
【図７】
2010240399.tif 000009
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
第一部分と第二部分とを有し、前記第一部分は使用者支持装置に可動的に連結されている第一部材と、
第一部分と第二部分とを有し、前記使用者支持装置に対して少なくとも２自由度で移動できるように前記第一部分が前記第一部材の前記第二部分に可動的に連結されている第二部材と
を備えるハンドル。
【請求項２】
前記第一部材と前記第二部材のうち少なくとも一つは、前記ハンドルの長さを調節するよう構成される調節機構を有する、請求項１に記載のハンドル。
【請求項３】
前記使用者支持装置、前記使用者支持装置と通信するデバイス、前記使用者支持装置と通信するシステムのうち少なくとも一つの機能を制御するよう構成されるコントローラをさらに備える、請求項１に記載のハンドル。
【請求項４】
前記第一部材は第一回転可能ジョイントで前記使用者支持装置に可動的に連結され、前記第二部材は第二回転可能ジョイントで前記第一部材に可動的に連結される、請求項１に記載のハンドル。
【請求項５】
前記第一回転可能ジョイントと前記第二回転可能ジョイントのうち少なくとも一つはロック可能である、請求項４に記載のハンドル。
【請求項６】
第一部分と第二部分とを有し、前記第一部分は回転可能ジョイントによって使用者支持装置に可動的に連結されている第一部材と、
前記第一部材の第二部分に可動的に連結される第一部分を有し、前記使用者支持装置に対する前記第一部材の動きとは無関係に前記第一部材に対して可動的である第二部材と
を備える、ハンドル。
【請求項７】
前記第二部材の前記第一部分は、前記ハンドルの長さを調節するよう構成される長さ調節機構によって前記第一部材の前記第二部分に可動的に連結される、請求項６に記載のハンドル。
【請求項８】
前記第二部材の前記第一部分は、第二回転可能ジョイントによって前記第一部材の前記第二部分に可動的に連結される、請求項６に記載のハンドル。
【請求項９】
前記各回転可能ジョイントのうち少なくとも一つはロック可能である、請求項８に記載のハンドル。
【請求項１０】
第一部分と第二部分とを有し、前記第一部分は使用者支持装置に可動的に連結されている第一部材と、
前記第一部材の前記第二部分に連結される回転可能ジョイントと、
第一部分と第二部分とを有し、一部が前記回転可能ジョイントに連結され、前記使用者支持装置に対する前記第一部材の動きとは無関係に前記第一部材に対して前記回転可能ジョイントを中心に回転可能である第二部材と
を備えるハンドル。
【請求項１１】
前記各回転可能ジョイントのうち少なくとも一つはロック可能である、請求項１０に記載のハンドル。
【請求項１２】
前記第一部材および第二部材のうち少なくとも一つが高さ調節部分を有し、前記高さ調節部分は前記第一部材および前記第二部材のうち一つの長さを調節する、請求項１０に記載のハンドル。
【請求項１３】
前記使用者支持装置、前記使用者支持装置と通信するデバイス、前記使用者支持装置と通信するシステムのうち少なくとも一つの機能を制御するよう構成されるコントローラをさらに備える、請求項１０に記載のハンドル。
【請求項１４】
前記コントローラは、前記ハンドルから取外し可能および遠隔操作可能である、請求項１０に記載ハンドル。
【請求項１５】
前記ハンドルは、保管位置と使用位置との間で移動可能であり、前記ハンドルの一部は、前記使用位置で前記使用者支持装置上に支持された使用者支持面の一部の上に位置する、請求項１０に記載のハンドル。
【請求項１６】
頭部部分および足部部分を含むフレームと、
軸で前記フレームに可動的に連結される少なくとも一つのサイドレールと、
前記サイドレールに一体化され、グリップとコントローラとが付いているブリップ部分を有するマタニティグリップと
を備え、
前記コントローラは前記グリップに一体化され、使用者が前記グリップをにぎっている間使用者が操作できるように構成されている、使用者支持装置。
【請求項１７】
前記コントローラは、前記使用者支持装置、前記使用者支持装置と通信するデバイス、前記使用者支持装置と通信するシステムのうち少なくとも一つの機能を制御するよう構成されている、請求項１６に記載の使用者支持装置。
【請求項１８】
前記頭部部分が前記足部部分に対して動くように、前記サイドレールが前記フレームの前記頭部部分と共に動く、請求項１６に記載の使用者支持装置。
【請求項１９】
前記第一部材は、長さ調節機構及び回転可能ジョイントのうちの一つによって前記使用者支持装置に可動的に連結され、前記第二部材は、長さ調節機構及び回転可能ジョイントのうちの一つによって前記第一部材に可動的に連結される、請求項１に記載のハンドル。
【請求項２０】
前記第二部材の前記第二部分に可動的に連結されるグリップをさらに備え、前記グリップは前記使用者支持装置に対して３自由度で動くように構成されている、請求項１に記載のハンドル。
【請求項２１】
前記ハンドルは、少なくとも回転１自由度と少なくとも並進１自由度で動く、請求項１に記載のハンドル。
【請求項２２】
前記第二部材の前記第二部分に可動的に連結されるグリップをさらに備え、前記グリップは、前記使用者支持装置に対して３自由度で動くように構成されている、請求項６に記載のハンドル。
【請求項２３】
前記使用者支持装置、前記使用者支持装置と通信するデバイス、前記使用者支持装置と通信するシステムのうち少なくとも一つの機能を制御するよう構成されているコントローラをさらに備える、請求項６に記載のハンドル。
【請求項２４】
前記第一部材の前記第一部分は、回転可能ジョイントと長さ調節機構のうち少なくとも一つによって前記使用者支持装置に可動的に連結される、請求項１０に記載のハンドル。
【請求項２５】
前記第二部材の前記第二部分に可動的に連結されるグリップをさらに備え、前記グリップは、前記使用者支持装置に対して３自由度で動くように構成されている、請求項１０に記載のハンドル。
【手続補正２】
【補正対象書類名】明細書
【補正対象項目名】００１４
【補正方法】変更
【補正の内容】
【００１４】
上部フレーム１４は、図２に示すように本開示の一つの例示的な実施形態による各分娩用バー３２または各ハンドル３２を有することができる。各ハンドル３２は、下部フレーム１２または支持部１６に可動的に連結できることを理解すべきである。また、各ハンドル３２は、下部フレーム１２、上部フレーム１４、または支持部１６に固定連結できることを理解すべきである。ハンドル３２は、上部フレーム１４の長軸側に沿って各第一ジョイント３４で枢転可能に連結できる。各ハンドル３２は、保管位置および使用位置の間を移動しうる。図２に示すとおり、保管位置では、各ハンドル３２は各ハンドル３２が実質的に上部フレーム１４の下に位置するように回転でき、また使用位置では、各ハンドル３２はハンドル３２が実質的に使用者支持面１８の上に位置するように回転できる。各ハンドル３２は、各ハンドル３２が保管位置で使用者支持面１８より上に伸びないように回転させることができることを理解すべきである。
【手続補正３】
【補正対象書類名】明細書
【補正対象項目名】００１８
【補正方法】変更
【補正の内容】
【００１８】
調節機構４０は、図２および図３に示すとおり、第一部材３６の第一上端部４６、および第二部材３８の第二下端部５２と連動させて、ハンドル３２の所望の長さを維持させることができる。調節機構４０は、図３に示すとおり、第一部材３６の第一上端部４６内で第一穴５８と噛み合い、第二部材３８の第二下端部５２内で複数の第二穴６０と噛み合う着脱可能なピン５７とすることができる。調節機構４０は、カムロック、ばね式ピン、摩擦ロック、またはテレスコープ型配列に使用される他のロックであってもよいことを理解すべきである。ハンドル３２の長さおよび／または方向を調節するために、ピン５７を第一穴５８および第二穴６０から外すことができ、これにより、第二部材３８の第二下端部５２は第一部材３６の内側領域５０内部で、第一部材３６の第一上端部４６に対してスライドすることができる。ハンドル３２の長さおよび／または方向を維持するために、ピン５７を第一穴５８と、第二穴６０のうち一つに挿入して、第二部材３８に対する第一部材３６の移動を阻止することができる。各ハンドル３２は、使用者の快適さに応じて、高さが調節できる。
【手続補正４】
【補正対象書類名】明細書
【補正対象項目名】００２３
【補正方法】変更
【補正の内容】
【００２３】
第二部材１３８はポールでもよく、図４に示すように第一部材１３６に対して回動可能であることによってハンドル１３２の方向を変更できる。第二部材１３８は、第二下端部１５２および第二上端部１５４を有することができる。第二下端部１５２は、回動ジョイント１４０で第一部材１３６に連結できる。第二部材１３８。第一部材１３６および／または第二部材１３８は、使用者支持装置１１０上で支持される使用者の好む向きおよび／または高さに合わせるように、回転させて頭部部分Ｈ１に近づけたり離したりできることを理解すべきである。また、ハンドル１３２は、第一部材１３６および第二部材１３８が実質的に互いに平行であり、さらに上部フレーム１１４の下の保管位置に移動するように回転できることを理解すべきである。第二部材１３８の第二上端部１５４は、第二ジョイント５６でグリップ部分４２に連結できる。
【手続補正５】
【補正対象書類名】明細書
【補正対象項目名】００２４
【補正方法】変更
【補正の内容】
【００２４】
本開示の別の実施形態による使用者支持装置２１０を図７に示す。使用者支持装置２１０は、下部フレーム１２またはベース１２と、上部フレーム２１４と、上部フレーム２１４および下部フレーム１２に連結された複数の支持部１６とを有することができる。上部フレーム２１４は、該フレームに各第一ジョイント２３４で可動的に連結されたサイドレールＳＲ２を有することができる。各第一ジョイント２３４は、上記で第一ジョイント３４について説明したとおり、選択的にロック／ロック解除可能なジョイントでもよいことを理解すべきである。上部フレーム２１４に対するサイドレールＳＲ２の方向は、使用者支持装置２１０上で支持される使用者の好みに基づき、第一ジョイント２３４を通過する回転軸Ｒ１を中心にサイドレールＳＲ２を回転させることによって、適切な方向に変更できる。
【外国語明細書】
2010240399.tif 000010
2010240399.tif 000011
2010240399.tif 000012
2010240399.tif 000013
2010240399.tif 000014
2010240399.tif 000015
2010240399.tif 000016
2010240399.tif 000017
2010240399.tif 000018
2010240399.tif 000019
2010240399.tif 000020
2010240399.tif 000021
2010240399.tif 000022
2010240399.tif 000023
2010240399.tif 000024
2010240399.tif 000025
2010240399.tif 000026
2010240399.tif 000027
2010240399.tif 000028
2010240399.tif 000029
2010240399.tif 000030
2010240399.tif 000031
2010240399.tif 000032
2010240399.tif 000033
2010240399.tif 000034
2010240399.tif 000035